(57)【要約】【課題】部品点数を減らし、加熱部材を位置決めすることができる定着装置及び画像形成装置を提供する。【解決手段】定着装置本体と、前記定着装置本体に装着され、記録媒体に転写された現像剤像を加熱する加熱部材と、前記加熱部材に電力を供給する電力線と、を有し、前記定着装置本体は、第１の保持部と、この第１の保持部に続いて形成された第２の保持部を有し、前記加熱部材は、前記第１の保持部に保持され、前記電力線は、前記第２の保持部に保持される。【選択図】図４
2012027305.tif 000002
【特許請求の範囲】
【請求項１】
定着装置本体と、
前記定着装置本体に装着され、記録媒体に転写された現像剤像を加熱する加熱部材と、
前記加熱部材に電力を供給する電力線と、を有し、
前記定着装置本体は、第１の保持部と、この第１の保持部に続いて形成された第２の保持部を有し、
前記加熱部材は、前記第１の保持部に保持され、前記電力線は、前記第２の保持部に保持される定着装置。
【請求項２】
前記第２の保持部は、前記加熱部材に対して直径方向に設けられ、前記電力線が嵌る溝部を有する請求項１に記載の定着装置。
【請求項３】
前記第２の保持部は、前記加熱部材に対して直径方向に立ち上がり、前記電力線を引掛ける引掛け部として構成される請求項１に記載の定着装置。
【請求項４】
前記加熱部材は、前記第２の保持部に突き当てられて、前記加熱部材の長手方向の位置決めがされる請求項１乃至３のいずれかに記載の定着装置。
【請求項５】
前記定着装置本体は、反加熱部材側において前記電力線を保持する第３の保持部を有する請求項１乃至４のいずれかに記載の定着装置。
【請求項６】
前記電力線は、前記第２の保持部及び前記第３の保持部により、少なくとも２回折り曲げられている請求項５に記載の定着装置。
【請求項７】
画像を形成する画像形成部と、
前記画像形成部により形成された画像を記録媒体に定着させる定着装置を有し、
前記定着装置は、
定着装置本体と、
前記定着装置本体に装着され、記録媒体に転写された現像剤像を加熱する加熱部材と、
前記加熱部材に電力を供給する電力線と、を有し、
前記定着装置本体は、第１の保持部と、この第１の保持部に続いて形成された第２の保持部を有し、
前記加熱部材は、前記第１の保持部に保持され、前記電力線は、前記第２の保持部に保持される画像形成装置。
【発明の詳細な説明】
【技術分野】
【０００１】
本発明は、定着装置及び画像形成装置に関する。
【背景技術】
【０００２】
特許文献１は、ハロゲンランプ１６の両端に矩形平板状の電導性のベース部材３０，３１が溶着等により固着されており、このベース部材３０，３１には孔部３０Ａ、３１Ａが形成され、ハロゲンランプ１６が、孔部３０Ａ、３１Ａを介して本体フレーム１８にハーネス４２と共に固定ネジ３２で固定される構成を開示する。
【先行技術文献】
【特許文献】
【０００３】
【特許文献１】特許第３８０９７４５号公報
【発明の概要】
【発明が解決しようとする課題】
【０００４】
本発明の目的は、部品点数を減らし、加熱部材を位置決めすることができる定着装置及び画像形成装置を提供することにある。
【課題を解決するための手段】
【０００５】
上記目的を達成するために、請求項１に係る本発明は、定着装置本体と、前記定着装置本体に装着され、記録媒体に転写された現像剤像を加熱する加熱部材と、前記加熱部材に電力を供給する電力線と、を有し、前記定着装置本体は、第１の保持部と、この第１の保持部に続いて形成された第２の保持部を有し、前記加熱部材は、前記第１の保持部に保持され、前記電力線は、前記第２の保持部に保持される定着装置である。
【０００６】
請求項２に係る本発明は、前記第２の保持部は、前記加熱部材に対して直径方向に設けられ、前記電力線が嵌る溝部を有する請求項１に記載の定着装置である。
【０００７】
請求項３に係る本発明は、前記第２の保持部は、前記加熱部材に対して直径方向に立ち上がり、前記電力線を引掛ける引掛け部として構成される請求項１に記載の定着装置である。
【０００８】
請求項４に係る本発明は、前記加熱部材は、前記第２の保持部に突き当てられて、前記加熱部材の長手方向の位置決めがされる請求項１乃至３のいずれかに記載の定着装置である。
【０００９】
請求項５に係る本発明は、前記定着装置本体は、反加熱部材側において前記電力線を保持する第３の保持部を有する請求項１乃至４のいずれかに記載の定着装置である。
【００１０】
請求項６に係る本発明は、前記電力線は、前記第２の保持部及び前記第３の保持部により、少なくとも２回折り曲げられている請求項５に記載の定着装置である。
【００１１】
請求項７に係る本発明は、画像を形成する画像形成部と、前記画像形成部により形成された画像を記録媒体に定着させる定着装置を有し、前記定着装置は、定着装置本体と、前記定着装置本体に装着され、記録媒体に転写された現像剤像を加熱する加熱部材と、前記加熱部材に電力を供給する電力線と、を有し、前記定着装置本体は、第１の保持部と、この第１の保持部に続いて形成された第２の保持部を有し、前記加熱部材は、前記第１の保持部に保持され、前記電力線は、前記第２の保持部に保持される画像形成装置である。
【発明の効果】
【００１２】
請求項１に係る本発明によれば、部品点数を減らし、加熱部材を位置決めすることができる定着装置を提供することができる。
【００１３】
請求項２に係る本発明によれば、請求項１に係る本発明が奏する効果に加えて、本構成を有しない場合と比較して、簡易な構成で、加熱部材を位置決めすることができる。
【００１４】
請求項３に係る本発明によれば、請求項１に係る本発明が奏する効果に加えて、本構成を有しない場合と比較して、簡易な構成で、加熱部材の長手方向の移動を抑制することができる。
【００１５】
請求項４に係る本発明によれば、請求項１乃至３いずれかに係る本発明が奏する効果に加えて、本構成を有しない場合と比較して、簡易な構成で、加熱部材の長手方向の位置決めをすることができる。
【００１６】
請求項５に係る本発明によれば、請求項１乃至４いずれかに係る本発明が奏する効果に加えて、さらに強固に加熱部材を位置決めすることができる。
【００１７】
請求項６に係る本発明によれば、請求項５に係る本発明が奏する効果に加えて、さらに強固に加熱部材を位置決めすることができる。
【００１８】
請求項７に係る本発明によれば、部品点数を減らし、加熱部材を位置決めすることができる定着装置を有する画像形成装置を提供することができる。
【図面の簡単な説明】
【００１９】
【図１】本発明の実施形態に係る画像形成装置を示す断面図である。
【図２】本発明の実施形態に係る定着装置の構成の概要を示す断面図である。
【図３】本発明の実施形態に係る定着装置の定着装置本体に加熱ロールが装着されている様子を示し、（ａ）は、加熱ロール装着方向からみた上面図であり、（ｂ）は、（ａ）を裏側からみた上面図である。
【図４】図３に示した定着装置における加熱ロールの一端近傍を示す拡大図であって（ａ）は上面図（ｂ）は側面図である。
【図５】図３に示した加熱ロールのハーネスの配線を説明するための図である。
【図６】他の実施形態に係る定着装置における加熱ロールの一端近傍を示す拡大図であって（ａ）は上面図（ｂ）は側面図である。
【発明を実施するための形態】
【００２０】
次に本発明の実施形態について図面に基づいて説明する。
図１において、本発明の実施形態に係る画像形成装置１０が示されている。この画像形成装置１０は、画像形成装置本体１２を有し、画像形成装置本体１２の下部には、シート供給装置１４が配置されていると共に、画像形成装置本体１２の上部には排出部１６が形成されている。
また、画像形成装置本体１２の前面（図中左側面）には開閉装置１３が設けられており、この開閉装置１３は、画像形成装置本体１２に対して開閉する開閉手段としての開閉カバー１７を有する。
【００２１】
シート供給装置１４は、シート収容部１８を有し、このシート収容部１８に多数のシートが積層される。シート収容部１８の一端上部には、積層されたシートに接触する供給ロール２０が配置されていると共に、この供給ロール２０に対向して捌きロール２２が設けられている。シート収容部１８の最上位にあるシートが供給ロール２０によりピックアップされ、供給ロール２０と捌きロール２２との協働によりシートが捌かれて搬送される。
【００２２】
シート収容部１８から搬送されたシートは、レジストローラ２４により一時停止され、所定のタイミングにより後述する感光体ユニット２６とベルトユニット２８との間及び定着装置３０を通って排出ローラ３２により排出部１６へ排出される。
【００２３】
画像形成装置本体１２内には、像形成構造体の一例である感光体ユニット２６、ベルトユニット２８、電源ユニット３４及び制御部３６が配置されている。
感光体ユニット２６は、像保持体支持部材の一例である感光体ユニット本体３８に像保持体の一例である例えば４つの感光体４０が回転自在に支持されている。各感光体４０の周囲には、感光体４０を一様に帯電する帯電ロールを備えた帯電手段としての帯電装置４２と、各感光体４０に書き込まれた静電潜像をトナーを含む現像剤で現像して可視化する現像手段としての現像装置４４と、転写後の感光体４０を除電する除電装置４６と、転写がなされた後に感光体４０表面の残留トナーを除去するクリーニングブレード等からなるトナー除去装置４８とを有する。
感光体ユニット２６は、４つの感光体４０、帯電装置４２、現像装置４４、除電装置４６及びトナー除去装置４８を一体化したものであり、画像形成装置本体１２に対して着脱自在になっている。
【００２４】
電源ユニット３４は、画像形成装置本体１２上部に配置され、上述した給紙装置１４、ベルトユニット２８、帯電装置４２及び現像装置４４等に電力を供給するようになっている。
【００２５】
４つのトナーボックス５０は、感光体ユニット２６の裏面側方に接続されている。各トナーボックス５０は、マゼンタ、イエロー、シアン及び黒用であり、トナー供給部５２とトナー回収部５４とが一体になって構成されている。
トナー供給部５２は現像装置４４に接続されて各色のトナーを現像装置４４に供給し、トナー回収部５４はトナー除去装置４８に接続されて各色のトナーを回収する。
【００２６】
光書込み装置５６は、それぞれレーザ露光装置からなり、感光体ユニット２６の背面側にあって各感光体４０に対応した位置に配置され、一様に帯電された感光体４０に対してレーザを照射して潜像を形成するようになっている。
【００２７】
ベルトユニット２８は、感光体ユニット２６の表側にあって感光体ユニット２６に対向して縦方向に配置されている。このベルトユニット２８は、上下方向に設けられた二つの支持ロール５８と、該二つの支持ロール５８に掛けられた搬送ベルト６０とが設けられている。
搬送ベルト６０は、トナー像が転写されたシートを搬送するようになっている。また、各感光体４０に搬送ベルト６０を挟んで対向して転写ロール６２が設けられている。
【００２８】
クリーニング装置６４は、ベルトユニット２８の表側にあって該ベルトユニット２８に対向して配置されている。このクリーニング装置６４は、搬送ベルト６０表面のトナーや紙粉等の付着物を除去するようになっている。
【００２９】
したがって、各感光体４０は、帯電装置４２により一様に帯電され、光書込み装置５６により潜像が形成され、現像装置４４により潜像がトナーにより可視像化される。各感光体４０に形成されたトナー像は、下方から順番にベルトユニット２８の転写ロール６２により、搬送されるシートに転写され、定着装置３０によりシートに定着される。
【００３０】
図２乃至図５において、定着装置３０の構成が示されている。定着装置３０は、ユニット化され、定着装置本体７０を有しており、定着装置本体７０内に加熱ロール７２と加圧ロール７４とを有する。
【００３１】
加熱ロール７２は、円筒状のコア７６と、このコア７６の表面側に被覆された離型層７８とを有する。コア７６は、例えば直径が３５ｍｍ以下であり、長さが３５０ｍｍ以上あり、厚さが０．１ｍｍである鉄、又は厚さが０．５ｍｍであるアルミニウムなどである。離型層７８は、絶縁性の材料、例えば絶縁性パーフルオロアルコキシ（ＰＦＡ）によって形成されており、膜厚が例えば３０〜１００μｍとなるようにしてある。
【００３２】
加熱ロール７２内には、加熱部材であるヒータ８０が配置されている。ヒータ８０は、例えばガラス管によってニクロム線が覆われた構成になっている。
ヒータ８０の端部には、ヒータ８０へ電力を供給する電力線であるハーネス８２が接続され、制御部３６の制御に応じて、ハーネス８２がヒータ８０へ電力を供給し、加熱ロール７２を加熱する。
【００３３】
定着装置本体７０の直径方向のフレームの一方には、板形状の第1の保持部７０ａと、この第１の保持部７０ａに続いて形成され、該第１の保持部７０ａと略並行に板形状の第２の保持部７０ｂが設けられている。
第１の保持部７０ａには、ヒータ８０が嵌る溝部８１が設けられ、円筒形状のヒータ８０の端部は、この溝部８１に固定される。
また、第２の保持部７０ｂには、ハーネス８２が嵌る溝部８３が設けられ、ハーネス８２のヒータ８０との接続部分近傍がこの溝部８３に固定される。
また、定着装置本体７０のヒータ８０が装着される方向と反対側には、ハーネス８２を保持する第３の保持部７０ｃが複数設けられている。
また、第２の保持部７０ｂの側面にヒータ８０の長手方向端部が突き当てられて、ヒータ８０の長手方向の位置決めがされる。
すなわち、図３（ａ）に示されているようにヒータ８０は第１の保持部７０ａの溝部８１に、ハーネス８２は、第２の保持部７０ｂの溝部８３にそれぞれ保持された状態で、図３（ｂ）に示されているように定着装置本体７０の裏側に回され、図５に示されているように、下方へ引っ張られ、定着装置本体７０に設けられた第３の保持部７０ｃに保持される。このように、ハーネス８２は少なくとも２回折り曲げて、ヒータ８０を位置決めしている。
ヒータ８０を設置する際には、ハーネス８２を引っ張りながら引き回し、溝部８３にはめ込むとともにハーネス８２を屈曲させながら定着装置本体７０の裏側まで回すことで位置決めされる。さらに第３の保持部７０ｃに保持させることでより強固に位置決めされる。ここでハーネス８２はヒータ８０の熱を遮蔽するため、被覆層が厚く設けられており、ハーネス８２の曲げ剛性は高い（所謂「こし」が強い）。したがって、この「こし」を利用して強固に位置決めしている。
これにより、ヒータ８０は、ねじを使用せずとも定着装置本体７０に対して長手方向及び直径方向に固定され、位置決めされる。また、フレームの一方に保持部を有することでヒータの基準位置が容易に識別される。また、長手方向に固定されることでヒータからの排熱と実際の記録媒体の加熱との誤差が小さくなる。
【００３４】
加圧ロール７４は、例えばステンレス又は鉄などからなる回転軸８４と、この回転軸８４を軸として回転し、肉厚が例えば６〜８ｍｍのシリコンスポンジ（アスカーＣ硬度：４５度）などからなる耐熱弾性体層８６と、この耐熱弾性体層８６の表面を覆う被覆層８８とを有する。被覆層８８は、導電性の材料、例えば導電性ＰＦＡからなり、膜厚が例えば３０〜１００μｍとなるようにしてある。なお、加圧ロール７４は、不図示のアームを介してバネなどの不図示の弾性部材により加熱ロール７２に圧接されて、加熱ロール７２の回転に従動して回転する。
【００３５】
加熱ロール７２及び加圧ロール７４は、ニップ部９０を通過する記録媒体に転写された現像剤像を熱と圧力とによって記録媒体に定着させる定着手段を構成する。ニップ部９０を挟んで上下方向には、搬送路６５が構成され、記録媒体が下から上へ搬送される。ニップ部９０の下流側近傍には、剥離爪９２が設けられている。この剥離爪９２は、加熱ロール７２の表面を傷付けない程度の弱い力で加熱ロール７２側に付勢され、該剥離爪９２の先端が加熱ロール７２の表面に圧接し、加熱ロール７２に巻き付こうとする記録媒体を剥がすようになっている。
【００３６】
次に、他の実施形態に係る定着装置３０について説明する。
図６において、他の実施形態に係る定着装置３０における加熱ロール７２の一端近傍が示されている。
他の実施形態に係る定着装置３０においては、定着装置本体７０の直径方向のフレームに設けられた第２の保持部７０ｂの代わりにヒータ８０に対して直径方向に立ち上がり、ハーネス８２を引っ掛ける引っ掛け部としての保持部９４を用いる。保持部９４は、例えば、円柱形状、円筒形状等が用いられる。保持部９４は、ハーネス８２のヒータ８０の近傍部分に加熱ロール７２に対して略垂直に配置され、ヒータ８０に対して直径方向に立ち上がり、ハーネス８２を引っ掛けられる。
すなわち、ヒータ８０は第１の保持部７０ａの溝部８１に、ハーネス８２は、ヒータ８０に対して直径方向に立ち上がって、保持部９４に引っ掛けられて、定着装置本体７０の裏側に回され、下方へ引っ張られ、定着装置本体７０の長手方向に設けられた第３の保持部７０ｃに掛けられる。これにより、ヒータ８０は定着装置本体７０に対して長手方向及び直径方向に固定され、位置決めされる。
【００３７】
なお、ハーネスを保持する保持部について、上述の形状に限定されることなく、ハーネス８２が引っ掛けられれば他の形状であってもよい。
【００３８】
以上で説明をしたように、本発明は、例えば複写機、プリンタ、ファクシミリ装置等の画像形成装置に適用することができる。
【符号の説明】
【００３９】
１０・・・画像形成装置
１２・・・画像形成装置本体
３０・・・定着装置
７０・・・定着装置本体
７０ａ・・第1の保持部
７０ｂ・・第２の保持部
７０ｃ・・第３の保持部
７２・・・加熱ロール
７４・・・加圧ロール
８０・・・ヒータ（加熱部材）
８１、８３・・・溝部
８２・・・ハーネス（電力線）
【図１】
2012027305.tif 000003
【図２】
2012027305.tif 000004
【図３】
2012027305.tif 000005
【図４】
2012027305.tif 000006
【図５】
2012027305.tif 000007
【図６】
2012027305.tif 000008